(57)【特許請求の範囲】
【請求項１】
共有スペクトルを介したワイドエリアネットワークおよびローカルピア・ツー・ピアネットワーク上での通信を容易にする方法であって、
装置が、ワイドエリアネットワークで用いられる第１のパラメータ・セットを判定することと、
前記装置が、無線スペクトルにおいて前記ワイドエリアネットワークに前記第１のパラメータ・セットを用いることと、
前記装置が、ローカルエリアピア・ツー・ピアネットワークにおいて用いられる第２のパラメータ・セットを導出することと、
前記装置が、同一の無線スペクトルにおいて前記ローカルエリアピア・ツー・ピアネットワークに前記第２のパラメータ・セットを用いることと、
前記ローカルエリアピア・ツー・ピアネットワークに前記第２のパラメータ・セットを用いた後に、前記装置が、ワイドエリアネットワーク通信が存続している間に前記無線スペクトルの共有部分が当該ワイドエリアネットワークによって利用されない場合に当該共有部分において前記ローカルエリアピア・ツー・ピアネットワークを介して日和見的に通信することと
を具備し、
前記第２のパラメータ・セットは、前記第１のパラメータ・セットの関数として判定される、
方法。
【請求項２】
ＯＦＤＭベースエアインタフェース技術が前記ローカルエリアピア・ツー・ピアネットワークにおいて使用され、ＣＤＭＡベースエアインタフェース技術が前記ワイドエリアネットワークにおいて使用される、請求項１に記載の方法。
【請求項３】
ＯＦＤＭベースエアインタフェース技術が前記ローカルエリアピア・ツー・ピアネットワークおよび前記ワイドエリアネットワークの両方で使用され、パラメータはトーンスペース、シンボル時間および／またはサイクリックプリフィックスに関する、請求項１に記載の方法。
【請求項４】
前記第２のパラメータ・セットは、前記第１のパラメータ・セットより短いシンボル時間、短いサイクリックプリフィックスおよび／または大きいトーンスペースを含む、請求項３に記載の方法。
【請求項５】
ワイドエリアネットワークおよびローカルエリアピア・ツー・ピアネットワーク上での通信を可能にする無線通信装置であって、
ワイドエリアネットワークおよび当該ワイドエリアネットワークにおいて用いられるパラメータ・セットを識別する手段と、
前記識別されたワイドエリアネットワークの関数としてローカルエリアピア・ツー・ピアネットワークに使用されるパラメータを取得する手段と、
ワイドエリアネットワーク通信が存続している間に無線スペクトルの共有部分が当該ワイドエリアネットワークによって利用されない場合に当該共有部分において前記ローカルエリアピア・ツー・ピアネットワークを介して日和見的に通信する手段と
を備える装置。
【請求項６】
ワイドエリアネットワークを識別することと、前記識別されたワイドエリアネットワークの関数としてピア・ツー・ピアネットワークに使用されるパラメータデータにアクセスすることとに関する命令を保有するメモリと、
前記メモリに保有されている前記命令を実行するように構成されている、前記メモリに結合されているプロセッサと
をさらに具備する、請求項５に記載の無線通信装置。
【請求項７】
前記メモリが、前記ワイドエリアネットワークと関連した署名信号を受信し、前記署名信号に基づいて前記ワイドエリアネットワークのエアインタフェースで使用されている少なくとも１つのＷＡＮパラメータの値を推定する命令をさらに保有する、請求項６に記載の無線通信装置。
【請求項８】
前記メモリが、前記ワイドエリアネットワークで使用されているエアインタフェース技術を識別する命令をさらに保有する、請求項７に記載の無線通信装置。
【請求項９】
前記メモリが、ワイドエリアネットワークの複数のエアインタフェース技術に対応する前記ピア・ツー・ピアネットワークの複数のパラメータ・データ・セットを含むルックアップテーブルをさらに保有する、請求項８に記載の無線通信装置。
【請求項１０】
前記ワイドエリアネットワークおよび前記ローカルエリアピア・ツー・ピアネットワーク上で通信するために共有帯域幅を利用する手段をさらに備える、請求項５に記載の無線通信装置。
【請求項１１】
前記ワイドエリアネットワークと関連したエアインタフェース技術を判断する手段をさらに備える、請求項５に記載の無線通信装置。
【請求項１２】
前記ワイドエリアネットワークに用いられる異なるパラメータを推定する手段をさらに備える、請求項５に記載の無線通信装置。
【請求項１３】
請求項１乃至請求項４のいずれか１項に記載の方法を実行するための機械実行可能命令を格納した機械可読記録媒体。
【請求項１４】
前記識別する手段および前記取得する手段としてのプロセッサを具備する、請求項５に記載の装置。
【発明の詳細な説明】
【技術分野】
【０００１】
以下の説明は、一般に、無線通信に関し、特に、共通無線スペクトル内でのワイドエリアネットワーク及びローカルエリアピア・ツー・ピアネットワークを介した通信をサポートすることに関する。
【背景技術】
【０００２】
無線通信システムが、様々な種類の通信を提供するために広く展開されている。例えば、音声および／またはデータなどが、かかる無線通信システムを介して提供され得る。典型的な無線通信システム、またはネットワークは、１つまたは複数の共用リソースへの多重ユーザアクセスを可能にすることができる。例えば、システムは、ＦＤＭ（Frequency Division Multiplexing）、ＴＤＭ（Time Division Multiplexing）、ＣＤＭ（Code Division Multiplexing）、ＯＦＤＭ（Orthogonal Frequency Division Multiplexing）などといった様々な多重アクセス技術を使用し得る。
【０００３】
公衆無線通信システムは、サービスエリアを提供する１つまたは複数の基地局を用いる。典型的な基地局は、ブロードキャスト、マルチキャストおよび／またはユニキャストサービスのための複数のデータストリームを送信することができ、データストリームは、無線端末にとって独立の受信対象となり得るデータストリームとすることができる。かかる基地局のサービスエリア内の無線端末を用いて、複合ストリームによって搬送される１つ、複数、またはすべてのデータストリームを受信することができる。同様に、無線端末は、基地局または別の無線端末にデータを送信することもできる。
【０００４】
無線通信システムは、データを転送するのに無線スペクトルの様々な部分を利用する。しかしながら、無線スペクトルは、高価で貴重なリソースである。例えば、会社が（認可されたスペクトル内などの）無線スペクトルの一部分を介して無線通信システムを運用しようとすれば、多くの費用がかかる可能性がある。さらに、従来の技法では、通常、無線スペクトルの利用が非効率的である。一般的な例によれば、無線スペクトルの割り当てがワイドエリアネットワーク（例えば、セルラインフラストラクチャネットワーク）に用いられるとき、ワイドエリアネットワークが実現されるスペクトルの相当な部分が、所与の地理的場所においてまたは所与の時間間隔においてしばしば使用されていない。
【発明の概要】
【０００５】
（関連出願の相互参照）
本出願は、「ビーコン信号を使用する識別、同期化または取得を容易にするための方法および装置（METHODS AND APPARATUS FOR FACILITATING IDENTIFICATION, SYNCHRONIZATION OR ACQUISITION USING BEACON SIGNALS）」と題され、２００６年１月１１に出願された米国仮特許出願第６０／７５８，０１０号、「アドホック無線ネットワークにおける識別、同期化または取得にビーコン信号を使用するための方法および装置（METHODS AND APPARATUS FOR USING BEACON SIGNALS FOR IDENTIFICATION,SYNCHRONIZATION OR ACQUISITION IN AN AD HOC WIRELESS NETWORK）」と題され、２００６年１月１１日に出願された米国特許出願第６０／７５８，０１１号、「認知無線ネットワークにおいてビーコン信号を使用するための方法および装置（METHODS AND APPARATUS FOR USING BEACON SIGNALS IN A COGNITIVE RADIO NETWORK)」と題され、２００６年１月１１日に出願された米国仮特許出願第６０／７５８，０１２号、「電力割り当てスキーム（POWER ALLOCATION SCHEME)」と題され、２００６年９月１５日に出願された米国仮特許出願第６０／８４５，０５２号、「混合無線通信システムにおけるビーコン（BEACONS IN A MIXED WIRELESS COMMUNICATION SYSTEM)」と題され、２００６年９月１５日に出願された米国仮特許出願第６０／８４５，０５１号、および「混合通信システムにおけるビーコン（BEACONS IN A MIXED COMMUNICATION SYSTEM)」と題され、２００６年１０月２７日に出願された米国仮特許出願第６０／８６３，３０４号の利益を主張するものである。上記出願の全体は参照してここに組み込まれている。
【０００６】
以下は、かかる実施形態の基本的理解を提供するために１つ以上の実施形態の簡略概要を表している。この概要は、すべての想定されている実施形態の広範囲にわたる概観ではなく、すべての実施形態の主要または重要な要素を識別することも、いずれかまたはすべての実施形態の範囲を描写することも意図していない。この唯一の目的は、後述されるより詳細な説明の前置きとして１つ以上の実施形態のいくつかの概念を簡略化形態で提示することである。
【０００７】
１つ以上の実施形態およびこの対応する開示によると、種々の態様が、ワイドエリアネットワークとローカルエリアピア・ツー・ピアネットワークとの間の帯域幅の共有を容易にすることに関して説明されている。上記ローカルエリアピア・ツー・ピアネットワークは、上記ワイドエリアネットワークで使用されているエアインタフェース技術と類似または異なるエアインタフェース技術を使用してもよい。例えば、上記ワイドエリアネットワークは、ＯＦＤＭベースエアインタフェース技術（例えば、３ＧＰＰＬＴＥ、ＷｉＭａｘ、Ｆｌａｓｈ−ＯＦＤＭ、・・・）、ＣＤＭＡベースエアインタフェース技術（例えば、ＣＤＭＡ−２０００、ＥＶ−ＤＯ、ＵＭＴＳワイドバンドＣＤＭＡ、ＨＳＰＡ、・・・）またはＴＤＭＡベースエアインタフェース技術（例えば、ＧＳＭ（登録商標）、ＧＰＲＳ、ＥＤＧＥ、・・・）を使用してもよいのに対して、上記ローカルエリアピア・ツー・ピアネットワークはＯＦＤＭベースエアインタフェース技術を使用してもよい。さらに、上記ワイドエリアネットワークおよび上記ローカルエリアピア・ツー・ピアネットワークは、異なるパラメータ・セットを利用してもよい。例えば、上記ワイドエリアネットワークおよび上記ローカルエリアピア・ツー・ピアネットワークの両方がＯＦＤＭベースエアインタフェース技術を使用すると仮定する。従って、上記２つのネットワークのトーンスペース、シンボル時間、サイクリックプリフィックスなどの物理層パラメータは極めて異なってもよい。さらに、ピア・ツー・ピアパラメータは上記ワイドエリアネットワークで使用されているパラメータの関数であってもよく、端末はまず上記エアインタフェース技術を識別し、および／または上記ワイドエリアネットワークで使用されている上記パラメータを推定してから、上記ローカルエリアピア・ツー・ピアネットワークで使用される上記パラメータを導出してもよい。
【０００８】
関連する態様によると、共有スペクトルを介する通信を容易にする方法がここで説明される。上記方法は、無線スペクトルにおけるワイドエリアネットワークに第１のパラメータ・セットを用いることを備えてもよい。さらに、上記方法は、上記同一の無線スペクトルにおけるローカルエリアピア・ツー・ピアネットワークに第２のパラメータ・セットを用いることを含んでもよい。
【０００９】
もう１つの態様は無線通信装置に関する。上記無線通信装置は、ワイドエリアネットワークを識別することと、上記識別されたワイドエリアネットワークの関数としてピア・ツー・ピアネットワークに使用されるパラメータデータにアクセスすることとに関する命令を保有するメモリを含んでもよい。さらに、上記無線通信装置は、上記メモリに保有されている上記命令を実行するように構成されている、上記メモリに結合されているプロセッサを含んでもよい。
【００１０】
さらに別の態様は、ワイドエリアネットワークおよびローカルエリアピア・ツー・ピアネットワークでの通信を可能にする無線通信装置に関する。上記無線通信装置は、ワイドエリアネットワークを識別する手段と、上記識別されたワイドエリアネットワークの関数としてローカルエリアピア・ツー・ピアネットワークで使用されるパラメータにアクセスする手段とを含んでもよい。
【００１１】
さらに別の態様は、ワイドエリアネットワークに第１のパラメータ・セットパラメータ・セットを利用するための機械実行可能命令と、上記ワイドエリアネットワークと共通の無線スペクトル利用するローカルエリアピア・ツー・ピアネットワークに第２のパラメータ・セットを利用するための機械実行可能命令とを記憶している機械可読媒体に関する。
【００１２】
別の態様によると、無線通信システムの装置はプロセッサを含んでもよく、上記プロセッサは、ワイドエリアネットワークを識別し、上記ワイドエリアネットワークの上記識別に基づいてピア・ツー・ピアネットワークに利用するパラメータ・セットを取得するように構成されてもよい。
【００１３】
上記および関連する目的を達成するために、上記１つ以上の実施形態は、以下に十分に説明され、かつ請求項で具体的に指摘されている特徴を備えている。以下の説明および添付の図面は、上記１つ以上の実施形態の具体的な例示的態様を詳細に説明する。これらの態様は、しかしながら、種々の実施形態の原理が用いられ、かつ説明された実施形態がすべてのこのような態様および等化物を含むことを意図している種々の方法のうちのごく幾つかを示しているにすぎない。
【図面の簡単な説明】
【００１４】
【図１】図１は、ここに説明されている種々の態様に従う無線通信システムの図である。
【図２】図２は、共通の無線スペクトル内で異種ネットワークを介する通信を可能にする例示的システムの図である。
【図３】図３は、種々の態様に従う例示的周波数スペクトルの図である。
【図４】図４は、ここに説明されている種々の態様に従って転送され得る例示的シンボルの図である。
【図５】図５は、共有スペクトルを利用してワイドエリアネットワークおよびピア・ツー・ピアネットワークを介する通信を可能にする例示的システムの図である。
【図６】図６は、ワイドエリアネットワークとローカルエリアピア・ツー・ピアネットワークとの間での帯域幅の共有を容易にする例示的方法の図である。
【図７】図７は、ローカルエリアピア・ツー・ピアネットワークを介する通信に使用されるパラメータの識別を容易にする例示的方法の図である。
【図８】図８は、ピア・ツー・ピアネットワークのパラメータの算出を容易にする例示的方法の図である。
【図９】図９は、複数のセルを含む種々の態様に従って実現される例示的通信システムの図である。
【図１０】図１０は、種々の態様に従った例示的基地局の図である。
【図１１】図１１は、ここに説明されている種々の態様に従って実現される例示的無線端末（例えば、モバイル機器、エンドノード、・・・）の図である。
【図１２】図１２は、ワイドエリアネットワークおよびローカルエリアピア・ツー・ピアネットワークでの通信を可能にする例示的システムの図である。
【発明を実施するための形態】
【００１５】
次に、図面を参照して様々な実施形態を説明する。全体を通して、類似の要素を指すのに類似の番号を使用する。以下の記述では、１つまたは複数の実施形態の充分な理解を可能にするために、説明として、多数の具体的詳細を示す。しかしながら、かかる実施形態が、これらの具体的詳細なしでも実施され得ることも明らかである。別の例では、１つまたは複数の実施形態の記述を容易にするために、周知の構造および装置をブロック図の形で示す。
【００１６】
本願で使用する場合、「コンポーネント（component）」、「モジュール（module）」、「システム（system）」などの語は、コンピュータ関連のエンティティ、すなわち、ハードウェア、ファームウェア、ハードウェアとソフトウェアの組み合わせ、ソフトウェア、または実行中のソフトウェアのいずれかとして参照する意図である。たとえば、コンポーネントは、それだけに限らないが、プロセッサ上で走るプロセス、プロセッサ、オブジェクト、実行可能ファイル、実行スレッド、プログラム、および／またはコンピュータとすることができる。例として、コンピュータ装置上で走るアプリケーションもコンピュータ装置もコンポーネントとすることができる。１つまたは複数のコンポーネントを１つのプロセスおよび／または実行スレッド内に置くこともでき、コンポーネントが１台のコンピュータ上に集中していてもよく、かつ／または２つ以上のコンピュータの間で分散されていてもよい。加えて、これらのコンポーネントは、様々なデータ構造を格納している様々なコンピュータ可読媒体から実行することもできる。各コンポーネントは、１つまたは複数のデータパケット（例えば、ローカルシステム、分散システム内の別のコンポーネントと、かつ／またはインターネットなどのネットワークを介し、信号によって別のシステムと情報をやりとりする１つのコンポーネントからのデータなど）を有する信号などに従うローカルプロセスおよび／またはリモートプロセスによってやりとりを行ってもよい。
【００１７】
さらに、本明細書では、無線端末との関連で様々な実施形態を説明する。また、無線端末を、システム、加入者ユニット、加入者局、移動局、モバイル、モバイル機器、リモート局、リモート端末、アクセス端末、ユーザ端末、端末、無線通信機器、ユーザエージェント、ユーザ機器、またはユーザ装置（ＵＥ）と呼ぶこともできる。無線端末は、携帯電話機、コードレス電話機、セッション開始プロトコル（ＳＩＰ）電話機、ＷＬＬ（無線ローカルループ（wireless local loop））局、ＰＤＡ（携帯情報端末（personal digital assistant））、無線接続機能を有するハンドヘルド機器、コンピュータ装置、または無線モデムに接続された他の処理装置とすることができる。さらに、本明細書では、基地局と関連させて様々な実施形態を説明する。基地局は、（１つまたは複数の）無線端末とのやりとりに利用されてもよく、また、アクセスポイント、ノードＢ、または別の何らかの専門用語として参照されることもある。
【００１８】
さらに、本明細書で説明する様々な態様または特徴は、標準のプログラミング技法および／または工学的技法を使った方法、装置、または製造品として実施されてもよい。「製造品」という語は、本明細書で使用する場合、任意のコンピュータ可読機器、搬送波、または媒体からアクセス可能なコンピュータプログラムを包含することを意図している。例えば、コンピュータ可読媒体には、それだけに限らないが、磁気記憶装置（ハードディスク、フロッピー（登録商標）ディスク、磁気帯など）、光ディスク（コンパクトディスク（ＣＤ）、ディジタル多用途ディスク（ＤＶＤ）など）、スマートカード、およびフラッシュメモリデバイス（ＥＰＲＯＭ、カード、スティック、キードライブなど）が含まれ得る。加えて、本明細書で説明する様々な記憶媒体は、情報を格納する１つまたは複数の装置および／または他の機械可読媒体を表すこともできる。「機械可読媒体」という語には、それだけに限らないが、（１つまたは複数の）命令および／またはデータを格納し、含み、かつ／または搬送することのできる無線チャネルおよび他の様々な媒体が含まれ得る。
【００１９】
次に図１を参照すると、無線通信システム１００が、ここに表されている種々の実施形態に従って図示されている。システム１００は、１つ以上のセクタにおいて、無線通信信号を相互に、および／または１つ以上の無線端末１０４に対して受信、送信、反復などする基地局１０２（例えば、アクセスポイント）および／または任意の数の異種基地局（図示せず）を備えてもよい。基地局１０２は送信機チェーンおよび受信機チェーンを備えることができ、これらの各々は、当業者には理解されるように、信号の送受信と関連した複数のコンポーネント（例えば、プロセッサ、変調器、マルチプレクサ、復調器、デマルチプレクサ、アンテナ、・・・）を備えることができる。無線端末１０４は、例えば、無線通信システム１００で通信するためのセルラ電話機、スマートフォン、ラップトップ、ハンドヘルド通信デバイス、ハンドヘルドコンピュータデバイス、衛星無線、ＧＰＳ、ＰＤＡおよび／または他の適切なデバイスであってもよい。
【００２０】
システム１００は、（複数の）基地局１０２および／または（複数の）無線端末１０４間で通信するための種々のタイプのネットワークをサポート可能である。例えば、ワイドエリアネットワーク（ＷＡＮ）（例えば、セルラネットワーク）がシステム１００を利用してもよい。本例に加えて、無線端末１０４は、ワイドエリアインフラストラクチャネットワークを利用することによって、基地局１０２（および／または任意の異種基地局）にデータを転送し、および／またはこれからデータを取得してもよい。もう１つの例によると、ローカルエリアピア・ツー・ピア（Ｐ２Ｐ）ネットワークはシステム１００によってサポートされてもよく、従って、無線端末１０４（例えば、ピア）はピア・ツー・ピアアーキテクチャを介して相互に通信してもよく、この場合無線端末１０４は、基地局１０２を経由せずに別の無線端末１０４に直接信号を送信してもよい。
【００２１】
異なるタイプのネットワークによって実行される通信は共通の無線スペクトルで実行されてもよく、従って異なるタイプのネットワークを介してデータを転送するために帯域幅が共有されてもよい。無線スペクトルの共有部分は、例えば、ワイドエリアネットワークによって主に使用されてもよい。さらに、スペクトルの一部がワイドエリアネットワークによって利用されない場合には、ピア・ツー・ピア通信が無線スペクトルの共有部分を介して日和見的に行われてもよい。従って、スペクトル利用に係る非効率は、ワイドエリアネットワークに関連する不使用帯域幅がローカルエリアピア・ツー・ピア通信に用いられ得るため、緩和され得る。代替的または付加的に、干渉管理または緩和技術が使用されてもよいため、スペクトルの共有部分はワイドエリアネットワークおよびローカルエリアピア・ツー・ピア通信によって同時に使用可能であり、帯域幅のスペクトル再使用効率を高めることができる。
【００２２】
システム１００によってサポートされている異なるタイプのネットワークは、データ転送に関してトーンスペース、シンボル時間およびサイクリックプリフィックスなどの異なるパラメータを利用してもよい。さらに、例えば、第１のタイプのネットワーク（例えば、ピア・ツー・ピアネットワーク、ワイドエリアネットワーク、・・・）と関連して用いられるパラメータは、第２のタイプのネットワーク（例えば、ワイドエリアネットワーク、ピア・ツー・ピアネットワーク、・・・）に利用されるパラメータの関数であってもよい。ワイドエリアネットワークで用いられているエアインタフェース技術はこのような環境で動作するように設計されてもよい。例えば、エアインタフェースは直交周波数分割多重化（ＯＦＤＭ）ベースであってもよい。従って、トーンスペース、シンボル時間およびサイクリックプリフィックスなどのシステムパラメータは、エアインタフェースが高い移動性および長い遅延広がりに対してロバストであるように選択されてもよい。さらに、移動性は低いかもしれないし、また遅延広がりが短いかもしれないので、ピア・ツー・ピア通信の動作環境は異なり得る。さらに、ピアは（例えば、ピア・ツー・ピアアーキテクチャにおいて）信号を同時に送受信できないような、半二重モードで動作してもよい。従って、ピア・ツー・ピアネットワークのパラメータの選択は、両ネットワークが同一スペクトルで動作可能であっても、ワイドエリアネットワークのパラメータとは異なってもよい。例えば、ピア・ツー・ピア通信では、トーンスペースは、シンボル時間の短縮を可能にするためにより大きくてもよく、これによってピアは受信モードと送信モードの迅速な切り替えが可能となる。他方、ピア・ツー・ピア通信では、トーンスペースは低い移動性ゆえにより小さくてもよく、これによってシンボル時間を長くして、サイクリックプリフィックスによる相対的オーバーヘッドを削減することができる。加えて、サイクリックプリフィックスは、ピア・ツー・ピアネットワークにおけるオーバーヘッドを削減するためにより短くてもよい。ピア・ツー・ピアネットワークのシステムパラメータの値が所定の方式でワイドエリアネットワークのシステムパラメータの値から導出可能であるため、ピアは、ワイドエリアネットワークにおける信号に基づいて自身とピア・ツー・ピア通信とを同期させることができる。従って、パラメータは異なってもよい。さらに、ピア・ツー・ピアネットワークで使用されているエアインタフェース技術はまたワイドエリアネットワークで使用されるものと異なってもよい。例えば、ワイドエリアネットワークはＣＤＭＡベースエアインタフェース技術（例えば、ＣＤＭＡ−２０００、ＥＶ−ＤＯ、ＵＭＴＳワイドバンドＣＤＭＡ、ＨＳＰＡ、・・・）やＴＤＭＡベースエアインタフェース技術（例えば、ＧＳＭ、ＧＰＲＳ、ＥＤＧＥ、・・・）を使用してもよいのに対して、ローカルエリアピア・ツー・ピアネットワークはＯＦＤＭベースエアインタフェース技術を使用してもよい。
【００２３】
次に図２に戻ると、共通無線スペクトル内で別個のネットワークを介する通信を可能にするシステム２００が図示されている。システム２００は、ＷＡＮコミュニケーター２０４およびピア・ツー・ピアコミュニケーター２０６をさらに含む無線端末２０２を含んでもよい。ＷＡＮコミュニケーター２０４によって無線端末２０２は、第１のパラメータ・セット（例えば、ＷＡＮパラメータ）を利用してワイドエリアネットワーク上でデータを送信および／または受信することができる。一例によると、ＷＡＮコミュニケーター２０４は、任意のタイプのワイドエリアネットワーク（例えば、ロングタームエボリューション（ＬＴＥ）、第三世代パートナーシッププロジェクト（３ＧＰＰ）、第三世代パートナーシッププロジェクト２（３ＧＰＰ２）、ユニバーサルモバイルテレコミュニケーションシステム（ＵＭＴＳ）、ＷｉＭａｘ、Ｆｌａｓｈ−ＯＦＤＭ、・・・）を介する通信を容易にすることができる。例として、ＷＡＮコミュニケーター２０４は、無線端末２０２と基地局（図示せず）間の通信を可能にする。
【００２４】
さらに、ピア・ツー・ピアコミュニケーター２０６は、第２のパラメータ・セット（例えば、Ｐ２Ｐパラメータ）を使ってピア・ツー・ピアネットワーク上での情報の送信および／または取得（例えば、（複数の）ピアへのデータの送信および／またはこれからのデータの受信）を可能にする。さらに、ワイドエリアネットワーク上で通信するためにＷＡＮコミュニケーター２０４によって利用されているスペクトル（例えば、帯域幅）はピア・ツー・ピアネットワーク上で通信するためにピア・ツー・ピアコミュニケーター２０６と共有されてもよく、従って、各々が無線スペクトルの異なる部分を用いる複数のネットワークを利用可能な従来の技術とは反対に、請求の主題は、異種ネットワークアーキテクチャによる通信を実行するために共通の帯域幅（例えば、同一スペクトル）を利用する。例として、ピア・ツー・ピアコミュニケーター２０６は、無線端末２０２と別の無線端末（図示せず）間の直接通信を可能にする。
【００２５】
ＷＡＮコミュニケーター２０４によって利用されるＷＡＮパラメータはピア・ツー・ピアコミュニケーター２０６によって用いられているＰ２Ｐパラメータとは異なってもよい。例えば、ＷＡＮおよびＰ２Ｐネットワークの両方がＯＦＤＭベースエアインタフェース技術を使用すると仮定すると、この場合、ＷＡＮパラメータおよびＰ２Ｐパラメータはトーンスペース、シンボル時間、サイクリックプリフィックスなどに関連してもよい。さらに、各タイプのネットワークと関連して利用されているパラメータは、このようなネットワークを介する通信を最適化するように選択されてもよい。例として、トーンスペースは移動性に基づいて判断されてもよいが、これは、移動性は周波数シフトを招くドップラー効果をもたらすことがあるためである。従って、送信機によって生成された特定のトーンの周波数は、トーンが（例えば、ドップラー効果に基づいて）受信機で取得されるときに異なる周波数にシフトされることがある。従って、トーンスペースは、予想されるドップラーよりもかなり大きく選択されてよい。別の例によると、特定のタイプのネットワークのサイクリックプリフィックスは予想される遅延広がりよりもかなり大きく定められてよく、これはネットワークによってカバーされているエリア（例えば、信号が伝搬するネットワークに関連づけられる地理的エリア）の関数であってもよい。遅延広がりは、送信機と受信機間の異種経路（例えば、マルチパス）を介する伝搬が原因でわずかに異なる時間に受信機に到着する信号の多重コピーに関する。従って、遅延広がりは、伝搬が生じるエリアの関数である。
【００２６】
図３を参照すると、種々の態様に従った例示的周波数スペクトル３００が図示されている。描かれているように、横軸３０２は周波数を表している。特定のキャリア周波数３０４の使用可能な帯域幅の総量が（例えば、トーンスペースΔで）Ｋ個の等間隔トーンに分割されてもよく、ここでＫは任意の整数であってもよい。これらのトーンは０〜Ｋ−１にインデックス化されてもよい。例えば、トーン０  ３０６、トーン１  ３０８、トーン２  ３１０およびトーンＫ  ３１２が図示されているが、請求の主題はこのように制限されない。
【００２７】
トーンスペースΔは、通信が生じるネットワークのタイプに対応する一意のパラメータであってもよく、従って、ローカルピア・ツー・ピアネットワークと比較して異なるトーンスペースがワイドエリアネットワークに利用されてもよい。さらに、各特定のタイプのワイドエリアネットワークは対応するトーンスペースと関連付けられてもよい（例えば、Ｆｌａｓｈ−ＯＦＤＭはトーンスペース１１．２５ｋＨｚを利用してもよく、３ＧＰＰ２はトーンスペース９．６ｋＨｚを用いてもよい、・・・）。さらに、ローカルエリアピア・ツー・ピアネットワークのトーンスペースは、共通帯域幅を共有する特定のタイプのワイドエリアネットワークと関連したトーンスペースの関数であってもよい（例えば、ローカルエリアピア・ツー・ピアネットワークは、ワイドエリアネットワークによってカバーされている地理的エリアの少なくとも一部の中で実行されてもよい）。従って、一例によると、ローカルエリアピア・ツー・ピアネットワークが所与のスペクトルにおいて３ＧＰＰ２と共存する場合、（例えば、トーンスペースを含む）ピア・ツー・ピアネットワークのパラメータは３ＧＰＰ２のパラメータ（例えば、トーンスペース）の関数であってもよい。
【００２８】
トーンスペースは移動性に左右されてもよい。例えば、移動性はドップラー効果をもたらすこともあり、これは周波数シフトを招く。従って、トーン０  ３０６は対応する周波数で送信されるかもしれないが、しかしながら、受信機で取得されるとき、トーン０  ３０６は異なる周波数にシフトされているかもしれない。予想されるドップラーシフトよりかなり大きいトーンスペースが選択されてもよい。一例によると、トーンスペースは予想ドップラーより約１００倍大きくてもよい。ゆえに、予想されるドップラーシフトが（例えば、ＷＡＮについて）１００Ｈｚの場合、トーンスペースは１０ｋＨｚオーダーであってもよい。しかしながら、請求の主題は上記例に制限されないことが理解されるべきである。さらに、ローカルエリアピア・ツー・ピア環境について、移動性はワイドエリアネットワークと比較して低いかもしれなないので、従ってドップラーはより小さいかもしれない。よって、ローカルエリアピア・ツー・ピアネットワークにはより小さいトーンスペースが用いられてもよい。
【００２９】
図４を参照すると、ここに説明されている種々の態様に従って転送可能な例示的シンボル４００が図示されている。図示されているように、横軸４０２は時間を表している。シンボル４００は（例えば、ＯＦＤＭ環境において）正弦波であってもよい。シンボル４００ＴＳＹＭはサイクリックプリフィックス４０４と、（ＩＦＦＴ窓としても知られている）データを搬送可能な部分４０６とを含んでいる。部分４０６の長さは普通１／Δに等しく、ここでΔはトーンスペースである。サイクリックプリフィックス４０４の期間ＴＣＰは予想される遅延広がりよりも大きくてもよい。さらに、ＴＣＰおよびＴＳＹＭは対応するネットワークについて選択されたパラメータであってもよい。
【００３０】
マルチパス伝搬は遅延広がりをもたらすことがある。例えば、単一の送信信号は２つ以上の経路によって受信機に到達することもある。本例によると、信号のコピーは異種経路と関連した異なる時間に取得されるかもしれない。遅延広がりは、特定のネットワーク内で信号が伝搬するエリアのサイズに相関することもある。例によると、（例えば、広い地理的エリアと関連付けられてもよい）ワイドエリアネットワークにおいて、遅延広がりは約２〜３μｓであり、従ってサイクリックプリフィックス（例えば、ＴＣＰ）は約１０μｓであってもよい。さらに、ローカルエリアピア・ツー・ピアネットワークについては、遅延広がりは（例えば、より狭い地理的エリアと関連付けられているため）より小さいかもしれず、例えば、遅延広がりは数ナノ秒オーダーであるかもしれない。従って、ローカルエリアピア・ツー・ピアネットワークと関連したサイクリックプリフィックス（例えば、ＴＣＰ）は約１μｓであってもよい。
【００３１】
サイクリックプリフィックス４０４はシンボル４００内のオーバーヘッドである。例えば、ワイドエリアネットワークにおいて、シンボル４００の１０％がオーバーヘッドであるかもしれない（例えば、ＴＣＰは１０μｓであるかもしれないし、ＴＳＹＭは１００μｓであるかもしれない）。さらに、ローカルエリアネットワークについて、トーンスペース（Δ）はワイドエリアネットワークのトーンスペースと比較して小さくてもよく、そのためＦＦＴウィンドウ（例えば、ＴＳＹＭ）が増大されてもよく、これはオーバーヘッドを削減する。
【００３２】
（例えば、シンボル時間を増加させかつトーンスペースを削減することによる）オーバーヘッドの削減は、後述される、ローカルエリアピア・ツー・ピアネットワークにおけるもう１つの設計制約に対して平衡化されてもよい。ピアは、ピア・ツー・ピアネットワークで同時に送受信する性能を欠いていることもある。例えば、ピア探索は、ピアがランダムな時間位置で署名信号を送信してもよいように実行されてもよい。従って、ピアのうちの１つがこの署名信号を送信するとき、（複数の）異種ピアによって送信された（複数の）署名信号を受信する能力を欠いているかもしれない。従って、シンボル時間ＴＳＹＭが増大すると、異種ピアがシンボルを同時送信する可能性は増大し、一方のピアがもう一方のピアによって送信された信号を逃してしまう可能性が大きくなる。ゆえに（例えば、ピア探索時に利用される）ピア・ツー・ピアネットワークのシンボル時間は、異なるピアからの送信の重複の可能性を緩和するために、ワイドエリアネットワークに利用されるよりＮ倍短くてもよい（ここでＮは任意の実数でよい）（例えば、Ｎは８であってもよい）。
【００３３】
次に図５を参照すると、ワイドエリアネットワークおよびピア・ツー・ピアネットワークを介する通信を可能にするために共有スペクトルを利用するシステム５００が図示されている。システム５００は、ＷＡＮコミュニケーター２０４およびピア・ツー・ピアコミュニケーター２０６をさらに備えてもよい無線端末２０２を含んでおり、これらはそれぞれワイドエリアネットワークおよびピア・ツー・ピアネットワークを介するデータの送信および／受信を可能にする。ＷＡＮコミュニケーター２０４によって無線端末２０２は任意のタイプのワイドエリアネットワーク（例えば、３ＧＰＰ  ＬＴＥ、３ＧＰＰ２  ＥＶ−ＤＯ、ＣＤＭＡ−２０００、ＵＭＴＳ  Ｗ−ＣＤＭＡ、ＧＳＭ、ＥＤＧＥ、ＷｉＭａｘ、Ｆｌａｓｈ−ＯＦＤＭ、・・・）を介して通信できる。例えば、ＷＡＮコミュニケーター２０４は、ワイドエリアネットワーク上でデータを取得および／または送信するために直交周波数分割多重−時分割複信（ＯＦＤＭ−ＴＤＤ）モードを利用してもよい（例えば、第１の時間セットにおけるアップリンクトラヒック、別の時間セットにおけるダウンリンクトラヒック、・・・）。さらに、ピア・ツー・ピアコミュニケーター２０６によって無線端末２０２は（複数の）異なるピア（例えば、（複数の）異なる無線端末（図示せず））と通信することができる。一例によると、ピア・ツー・ピアネットワーク内で動作するためにピア・ツー・ピアコミュニケーター２０６を利用する場合、無線端末２０２は、ピアからの信号を同時に送信および受信できなくてもよい。本例に加えて、（複数の）異なるピアが無線端末２０２と比較して実質的に同じ時間で送信する可能性を最小化するＰ２Ｐパラメータ（例えば、ショートシンボル時間、・・・）が利用されてもよく、従って、無線端末２０２は、（複数の）異種ピアから転送されたこのようなデータを逃さないだろうと思われる。
【００３４】
ピア・ツー・ピアコミュニケーター２０６はさらにＷＡＮ識別器５０２およびＰ２Ｐパラメータ選択器５０４を含んでもよい。ＷＡＮ識別器５０２は、スペクトル帯域幅がピア・ツー・ピア通信のために無線端末２０２で使用可能であるか否かを判断してもよい。さらに、ＷＡＮ識別器５０２は、スペクトル帯域幅を現在使用しているワイドエリアネットワークのタイプ、例えばＷＡＮで使用されている具体的なエアインタフェース技術を検出してもよい。本例によると、ＷＡＮ識別器５０２は、ワイドエリアネットワークが、ＬＴＥ、３ＧＰＰ、３ＧＰＰ２、ＵＭＴＳ、ＷｉＭａｘ、Ｆｌａｓｈ−ＯＦＤＭなどのタイプのワイドエリアネットワークのうちの１つであることを確認することができる。別の例によると、ＷＡＮ識別器５０２はさらに、使用可能なワイドエリアネットワークに関連したシステムパラメータ（例えば、ＷＡＮパラメータ）を検出可能である。ＷＡＮ識別器５０２はピア・ツー・ピアコミュニケーター２０６に含まれているものとして描かれているが、ＷＡＮコミュニケーター２０４がＷＡＮ識別器５０２を含んでもよいこと、および／またはＷＡＮ識別器５０２がＷＡＮコミュニケーター２０４およびピア・ツー・ピアコミュニケーター２０６とは別個のものであってもよいことは想定されている。Ｐ２Ｐパラメータ選択器５０４は、ワイドエリアネットワークによって使用されている識別されたエアインタフェース技術の関数（例えば、ＷＡＮ識別器５０２によって判断された使用可能なワイドエリアネットワークのタイプ）としてピア・ツー・ピアネットワークで利用されるパラメータデータ（例えばＰ２Ｐパラメータ）および関連システムパラメータにアクセスしてもよい。Ｐ２Ｐパラメータはその後、ピア・ツー・ピアネットワーク上でデータを送信および／または受信するために用いられてもよい。
【００３５】
さらに、無線端末２０２はメモリ５０６およびプロセッサ５０８を含んでもよい。メモリ５０６は、Ｐ２Ｐパラメータおよび／または種々のタイプのワイドエリアネットワークに対応するＷＡＮパラメータを特定する（複数の）ルックアップテーブルを保有してもよい。さらに、メモリ５０６は、ワイドエリアネットワークの識別を判断すること、ワイドエリアネットワークと関連したパラメータを検出すること、ピア・ツー・ピアネットワークと共に用いるパラメータを識別することおよび／または導出することなどに関連する命令を保有してもよい。さらに、プロセッサ５０８は、ここに説明されている命令および／または機能を実行してもよい。
【００３６】
一例によると、無線端末２０２はワイドエリアネットワークに参加してもよい。ＷＡＮ識別器５０２はワイドエリアネットワークの識別を判断してもよい。付加的または代替的に、ＷＡＮ識別器５０２はワイドエリアネットワークに関する情報（例えば、ＷＡＮパラメータ）を検知してもよい。さらに、Ｐ２Ｐパラメータ選択器５０４は、Ｐ２Ｐパラメータ（例えば、トーンスペース、シンボル時間、サイクリックプリフィックス、・・・）を選択してローカルエリアピア・ツー・ピアネットワークを介する通信に用いるために、メモリ５０６に保有されているルックアップテーブルを利用してもよい。例えば、メモリ５０６に記憶されているルックアップテーブルは、識別されたワイドエリアネットワークのタイプに相関するＰ２Ｐパラメータのうちの１つ以上の値を特定してもよい。従って、ワイドエリアネットワークの識別に基づいて、Ｐ２Ｐパラメータ選択器５０４は、同一スペクトルで用いられるＰ２Ｐパラメータを判断するためにルックアップテーブルや所定の式を用いてもよい。
【００３７】
さらなる図例によると、ピア・ツー・ピアコミュニケーター２０６はローカルエリアピア・ツー・ピアネットワークによって用いられるパラメータを算出可能である。ＷＡＮ識別器５０２は、ピア・ツー・ピアネットワークと同じスペクトルにおいてワイドエリアネットワークに用いられるパラメータ（例えば、ＷＡＮパラメータ）を判断可能である。例えば、ＷＡＮ識別器５０２は、ビーコン、ＰＮ（擬似ランダム）シーケンス信号、パイロット信号または（例えば、基地局（図示せず）によって送信された）他のブロードキャスト信号を検出可能であり、これらは、ワイドエリアネットワークと関連した署名信号であってもよい。さらに、ＷＡＮ識別器５０２は、ワイドエリアネットワークと関連したＷＡＮパラメータを推定するためにブロードキャスト信号を分析してもよい。別の例によると、ＷＡＮ識別器５０２はワイドエリアネットワーク（例えば、使用されるエアインタフェース技術）のタイプを識別して、メモリ５０６に保有されているルックアップテーブルからこれと関連したＷＡＮパラメータを見つけ出してもよい。しかしながら、請求の主題は上記例に制限されないことが理解されるべきである。その後、Ｐ２Ｐパラメータ選択器５０４はワイドエリアネットワークのパラメータ（例えば、ＷＡＮパラメータ）の関数としてピア・ツー・ピアネットワークのパラメータ（例えば、Ｐ２Ｐパラメータ）を導出してもよい。従って、Ｐ２Ｐパラメータ選択器５０４は、同一スペクトルのワイドエリアネットワークで使用するための最適ＷＡＮパラメータの情報に基づいてＰ２Ｐパラメータの選択を最適化してもよい。
【００３８】
ピア・ツー・ピアネットワークが所与のスペクトルにおいてワイドエリアネットワークと共存している場合、Ｐ２ＰパラメータはＷＡＮパラメータの関数であってもよい。一例によると、Ｐ２Ｐパラメータ選択器５０４はこのような関数に基づいてＰ２Ｐパラメータを生成してもよい。さらなる例によると、ＷＡＮパラメータに相関するＰ２Ｐパラメータを記述する情報が、メモリ５０６に保有されている（複数の）ルックアップテーブルに含まれてもよい。一例によると、ＷＡＮおよびＰ２Ｐネットワークの両方がＯＦＤＭベースエアインタフェース技術を使用すると仮定する。Ｐ２Ｐパラメータは、ΔＰ２Ｐ＝ｆ（ΔＷＡＮ）となるように選択されてもよく、ここでΔＰ２Ｐはピア・ツー・ピアネットワークのトーンスペースであり、ΔＷＡＮはワイドエリアネットワークのトーンスペースである。例えば、ΔＰ２Ｐ＝ＮΔＷＡＮであり、ここでＮは実数である。一実施形態では、Ｎ＞１である（例えば、Ｎ＝２、４、８、１０、１２、１６、・・・）。別の実施形態では、Ｎ＜１である（例えば、Ｎ＝１／２、１／４、１／８、１／１０、１／１２、１／１６、・・・）。さらに、サイクリックプリフィックスの長さはＴＣＰ＿Ｐ２Ｐ＝ｇ（ＴＣＰ＿ＷＡＮ）となるように選択される（例えば、ＴＣＰ＿Ｐ２Ｐ＝１／Ｋ・ＴＣＰ＿ＷＡＮであり、ここでＫ＝２、４、８、１０、１２、１６など）。一実施形態では、Ｋ＝Ｎである。従って、例えば、ピア・ツー・ピアネットワークに利用されるトーンスペースはワイドエリアネットワークに用いられるトーンスペースよりＮ倍大きくてよく、またピア・ツー・ピアネットワークのシンボル時間はワイドエリアネットワークのシンボル時間よりＮ倍短くてもよい。関数ｆまたはｇはＷＡＮによって使用されている具体的なエアインタフェースに左右され得る点に注目されたい。例えば、関数ｆまたはｇは、ＷＡＮが３ＧＰＰ  ＬＴＥエアインタフェース技術を使用している場合、またはＷＡＮがＷｉＭａｘエアインタフェース技術を使用している場合、両技術がＯＦＤＭに基づいているとしても、異なる場合がある。さらに、一例によると、Ｐ２ＰネットワークはＯＦＤＭベースエアインタフェース技術を使用するがＷＡＮネットワークは、ＵＭＴＳ  Ｗ−ＣＤＭＡなどのＣＤＭＡベースエアインタフェース技術を使用すると仮定する。Ｐ２ＰパラメータはΔＰ２Ｐ＝ｈ（ＦＣＷＡＮ）となるように選択されてもよく、ここでＦＣＷＡＮはＵＭＴＳ  Ｗ−ＣＤＭＡで使用されているシステムパラメータを表すことができる（例えば、ＣＤＭＡチップレート）。
【００３９】
図６〜８を参照すると、ワイドエリアネットワークとローカルエリアピア・ツー・ピアネットワークとの間の帯域幅の共有に関する方法が図示されている。説明の簡略化のために、本方法は一連の動作として示されかつ説明されているが、１つ以上の実施形態に従って一部の動作がここに示されかつ説明されているものと異なる順序で、および／または他の動作と同時に生じることもあるため、本方法がこの動作順序によって制限されない点が理解および認識されるべきである。例えば、方法は代替的に、例えば状態図において一連の相関状態またはイベントとして表されてもよい点を当業者は理解および認識するであろう。さらに、１つ以上の実施形態に従った方法を実現するために、図示されている全ての動作が必ずしも必要でないことがある。
【００４０】
図６を参照すると、ワイドエリアネットワークとローカルエリアピア・ツー・ピアネットワーク間の帯域幅の共有を容易にする方法６００が図示されている。６０２において、第１のパラメータ・セットが無線スペクトルにおいてワイドエリアネットワークに用いられてもよい。例えば、このパラメータはＯＦＤＭベースエアインタフェース技術のトーンスペース、シンボル時間、サイクリックプリフィックスなどや、ＣＤＭＡベースエアインタフェース技術のＣＤＭＡチップレートに関連してもよい。さらに、異なるタイプのワイドエリアネットワーク（例えば、ＬＴＥ、３ＧＰＰ、３ＧＰＰ２、ＵＭＴＳ，ＷｉＭａｘ、Ｆｌａｓｈ−ＯＦＤＭ、・・・）は各々、対応するパラメータ・セットと関連付けられてもよい。さらに、第１のパラメータ・セットはワイドエリアネットワーク上でデータを送信および／または受信するために利用されてもよい。６０４において、第２のパラメータ・セットが同一無線スペクトルにおいてローカルエリアピア・ツー・ピアネットワークに用いられてもよい。第２のパラメータ・セットはローカルエリアピア・ツー・ピアネットワーク上でデータを送信および／または取得するために利用されてもよい。加えて、第２のセット中のパラメータは第１のセット中のパラメータの関数であってもよい。さらに、（例えば、ライセンススペクトル内の）共通の周波数帯域がワイドエリアネットワークおよびローカルエリアピア・ツー・ピアネットワークによって用いられ、例えば、ピア・ツー・ピアネットワークは、ワイドエリアネットワークによって利用されていないか、十分に利用されていない場合に共有無線スペクトルを日和見的に用いてもよい。ローカルエリアピア・ツー・ピアネットワークによって利用される第２のパラメータ・セットは、ワイドエリアネットワークによって用いられる第１のパラメータ・セットと比較して短いシンボル時間、短いサイクリックプリフィックスおよび／または大きいトーンスペースを含んでもよい。
【００４１】
次に図７を参照すると、ローカルエリアピア・ツー・ピアネットワークを介する通信に使用されるパラメータの識別を容易にする方法７００が図示されている。７０２において、ワイドエリアネットワークが識別されてもよい。例えば、ワイドエリアネットワークに関する情報が検知されてもよい。さらなる例によると、ワイドエリアネットワークと関連したビーコン信号が受信されてもよく、このビーコン信号は使用可能性、ワイドエリアネットワークのエアインタフェース技術のタイプおよび／または使用されているシステムパラメータを示してもよい。７０４において、ピア・ツー・ピアネットワークに使用されるパラメータデータが、識別されたワイドエリアネットワークの関数としてアクセスされてもよい。一例によると、パラメータデータはメモリに保有されているルックアップテーブルから取得されてもよい。別の例によると、パラメータデータは、ワイドエリアネットワークに対応する異なるパラメータデータに基づいて算出されてもよい。その後、パラメータデータは、ピア・ツー・ピアネットワーク上でデータを送信および／または受信するために用いられてもよい。さらなる例によると、ピア・ツー・ピアネットワークパラメータは、半二重の第１のピアが、第１のピア自身が送信している間に第２のピアによって送信された信号を逃す可能性を削減し得る。
【００４２】
図８を参照すると、ピア・ツー・ピアネットワークのパラメータの算出を容易にする方法８００が図示されている。８０２において、ピア・ツー・ピアネットワークと同じスペクトルでワイドエリアネットワークに用いられているパラメータが判断されてもよい。例えば、ワイドエリアネットワークと関連した署名信号が受信されてもよく、またこれと関連したパラメータが識別されてもよい。別の例によると、ワイドエリアネットワークのパラメータは、ワイドエリアネットワークのタイプに基づいてルックアップテーブルから見つけ出されてもよい。８０４において、ピア・ツー・ピアネットワークのパラメータがワイドエリアネットワークのパラメータの関数として導出されてもよい。一例によると、ピア・ツー・ピアネットワークのトーンスペースはワイドエリアネットワークのトーンスペースよりＮ倍大きいこともあるのに対して、ピア・ツー・ピアネットワークのシンボル時間はワイドエリアネットワークのシンボル時間よりＮ倍短いこともあり、本例について、Ｎは任意の実数であってもよい（例えば、Ｎは８であってもよい）。
【００４３】
ここに説明されている１つ以上の態様に従って、ワイドエリアネットワークおよびローカルエリアピア・ツー・ピアネットワークを介する通信の無線スペクトルの共有に関して推論が可能である点が認識されるであろう。ここで使用されているように、用語「推論する」や「推論」は概して、イベントおよび／またはデータを介して捕捉されるような１セットの観察からシステム、環境および／またはユーザの状態について判断または推論するプロセスのことである。具体的な状況や動作を識別するために推論が用いられてもよく、あるいは、例えば状態の確率分布を生成することができる。推論は確率的なもの、よく、つまりデータおよびイベントの検討に基づいた対象状態の確率分布の計算であってもよい。推論はまた、１セットのイベントおよび／またはデータからより高いレベルのイベントを構成するために用いられる技術を参照し得る。このような推論は、イベントが時間的に近接して相関されてもされなくても、またイベントおよびデータが１つまたは複数のイベントおよびデータソースを源に発していてもいなくても、１セットの観察イベントおよび／または記憶イベントデータから新たなイベントや動作の構築をもたらす。
【００４４】
一例によると、上記１つ以上の方法は、ピア・ツー・ピアネットワークを介する通信と関連して利用するパラメータの判断について推論することを含むことができる。別の例によると、共有スペクトルがピア・ツー・ピアネットワーク上でのデータ転送に利用可能な時間の識別に関して推論されてもよい。上記例は本質的に事例的なものであり、また実行可能な推論数や、ここに説明されている種々の実施形態および／または方法と関連してこのような推論がなされる方法を制限することを意図していない点が理解されるであろう。
【００４５】
図９に、複数のセル、すなわち、セルＩ９０２、セルＭ９０４を含む様々な態様に従って実施される通信システムの例９００を示す。隣接するセル９０２、９０４は、セル境界領域９６８で示すようにわずかに重なり合い、これによって、隣接するセル内の基地局によって送信される信号間の信号干渉の可能性が生じることに留意されたい。システム９００の各セル９０２、９０４は、３つのセクタを含む。また、様々な態様によれば、複数のセクタに細分化されていないセル（Ｎ＝１）、２つのセクタを有するセル（Ｎ＝２）、および３を上回るセクタを有するセル（Ｎ＞３）も可能である。セル９０２は、第１のセクタ、セクタＩ  ９１０、第２のセクタ、セクタＩＩ  ９１２、および第３のセクタ、セクタＩＩＩ  ９１４を含む。各セクタ９１０、９１２、９１４は、２つのセクタ境界領域を有し、各境界領域は２つの隣接するセクタ間で共有されている。
【００４６】
セクタ境界領域は、隣接するセクタ内の基地局によって送信される信号間での信号干渉の可能性をもたらす。ライン９１６は、セクタＩ  ９１０とセクタＩＩ  ９１２の間のセクタ境界領域を表し、ライン９１８は、セクタＩＩ  ９１２とセクタＩＩＩ  ９１４の間のセクタ境界領域を表し、ライン９２０は、セクタＩＩＩ  ９１４とセクタＩ  ９１０の間のセクタ境界領域を表す。同様に、セルＭ９０４は第１のセクタ、セクタＩ  ９２２、第２のセクタ、セクタＩＩ  ９２４、および第３のセクタ、セクタＩＩＩ  ９２６を含む。ライン９２８はセクタＩ  ９２２とセクタＩＩ  ９２４の間のセクタ境界領域を表し、ライン９３０は、セクタＩＩ  ９２４とセクタＩＩＩ  ９２６の間のセクタ境界領域を表し、ライン９３２は、セクタＩＩＩ  ９２６とセクタＩ  ９２２の間の境界領域を表す。セルＩ  ９０２は、基地局（ＢＳ）、基地局Ｉ  ９０６と、各セクタ９１０、９１２、９１４内の複数のエンドノード（ＥＮ）（例えば、無線端末）を含む。セクタＩ  ９１０は、それぞれ、無線リンク９４０、９４２を介してＢＳ９０６に結合されたＥＮ（１）９３６およびＥＮ（Ｘ）９３８を含み、セクタＩＩ  ９１２は、それぞれ、無線リンク９４８、９５０を介してＢＳ９０６に結合されたＥＮ（１’）９４４およびＥＮ（Ｘ’）９４６を含み、セクタＩＩＩ９１４は、それぞれ、無線リンク９５６、９５８を介してＢＳ９０６に結合されたＥＮ（１”）９５２およびＥＮ（Ｘ”）９５４を含む。同様に、セルＭ９０４は、基地局Ｍ  ９０８と、各セクタ９２２、９２４、９２６内の複数のエンドノード（ＥＮ）を含む。セクタＩ  ９２２は、それぞれ、無線リンク９４０’、９４２’を介してＢＳＭ  ９０８に結合されたＥＮ（１）９３６'およびＥＮ（Ｘ）９３８'を含み、セクタＩＩ９２４は、それぞれ、無線リンク９４８’、９５０’を介してＢＳＭ  ９０８に結合されたＥＮ（１’）９４４’およびＥＮ（Ｘ’）９４６’を含み、セクタ３９２６は、それぞれ、無線リンク９５６’、９５８’を介してＢＳ９０８に結合されたＥＮ（１”）９５２’およびＥＮ（Ｘ”）９５４’を含む。
【００４７】
また、システム９００は、それぞれ、ネットワークリンク９６２、９６４を介してＢＳＩ  ９０６とＢＳＭ  ９０８に結合されているネットワークノード９６０も含む。また、ネットワークノード９６０は、ネットワークリンク９６６を介して他のネットワークノード、例えば、他の基地局、ＡＡＡサーバノード、中間ノード、ルータなどおよびインターネットにも結合されている。ネットワークリンク９６２、９６４、９６６は、例えば、光ファイバケーブルなどとすることができる。ＥＮ（１）９３６などの各エンドノードは、送信機と受信機を含む無線端末とすることができる。ＥＮ（１）９３６などの無線端末は、システム９００の至る所に移動してもよく、無線リンクを介して、ＥＮが現在位置しているセル内の基地局とやりとりしてもよい。ＥＮ（１）９３６などの無線端末（ＷＴ）は、ＢＳ９０６などの基地局、および／またはネットワークノード９６０を介して、システム９００内またはシステム９００外の別のＷＴなどのピアノードと通信してもよい。ＥＮ（１）９３６などのＷＴは、携帯電話機、無線モデムを備えるＰＤＡなどといった移動体通信機器とすることができる。個々の基地局は、ストリップ−シンボル周期の間に、残りのシンボル周期、例えば非ストリップ−シンボル周期などの間に、トーンを割り振り、トーンホッピングを決定するのに用いられる方法とは異なる方法を使ってトーンサブセット割り振りを行う。無線端末は、トーンサブセット割り振りの方法を、基地局から受け取られる情報、例えば、基地局スロープ（slope）ＩＤ、セクタＩＤ情報などと共に使って、特定のストリップ−シンボル周期にデータおよび情報を受け取るのに用いることのできるトーンを求める。様々な態様に従って、個々のトーンにわたってセクタ間およびセル間干渉を拡散させるようにトーンサブセット割り振りシーケンスが構築される。
【００４８】
また、通信システム９００によって、ローカルエリアピア・ツー・ピア通信がサポートされてもよい。例えば、共通スペクトルが、ローカルエリアピア・ツー・ピア通信と、ワイドエアリアネットワーク（セルラインフラストラクチャネットワークなど）を介した通信の両方に利用されてもよい。無線端末は、ピア・ツー・ピアネットワーク９７０、９７２、９７４などのローカルエリアピア・ツー・ピアネットワークを介して別のピアと通信し得る。３つのピア・ツー・ピアネットワーク９７０〜９７４が図示されているが、任意の数、サイズ、形状などのピア・ツー・ピアネットワークがサポートされてもよいことを理解すべきである。例えば、各ピア・ツー・ピアネットワーク９７０〜９７４は、無線端末間で直接の信号の転送をサポートしてもよい。さらに、各ピア・ツー・ピアネットワーク９７０〜９７４は、同様の地理的領域内（相互の有効範囲内など）に無線端末を含んでいてもよい。例えば、ＥＮ（１）９３６は、ローカルエリアピア・ツー・ピアネットワーク９７０を介してＥＮ（Ｘ）９３８とやりとりしてもよい。しかしながら、各無線端末は、共通のピア・ツー・ピアネットワークに含まれるために、同じセクタおよび／またはセルに関連付けられる必要はないことを理解すべきである。さらに、ピア・ツー・ピアネットワークは、重なり合ってもよい（例えば、ＥＮ（Ｘ’）９４６は、ピア・ツー・ピアネットワーク９７２と９７４を利用してもよい）。加えて、無線端末は、ピア・ツー・ピアネットワークによってサポートされなくてもよい。無線端末は、かかるネットワークが（例えば、同時に、または順次）重なり合うワイドエアリアネットワークおよび／またはピア・ツー・ピアネットワークを用いてもよい。さらに、無線端末は、かかるネットワークをシームレスに切り換え、または同時に利用してもよい。したがって、無線端末は、送信時であれ受信時であれ、ネットワークの１つまたは複数を選択的に用いて通信を最適化し得る。
【００４９】
図１０に、様々な態様による基地局の例１０００を示す。基地局１０００は、トーンサブセット割り振りシーケンスを実施し、セルの個々の異なる種類のセクタに異なるトーンサブセット割り振りシーケンスが生成される。基地局１０００は、図９のシステム９００の基地局９０６、９０８のいずれか１つとして使用され得る。基地局１０００は、バス１００９によって相互に結合されている受信機１００２、送信機１００４、ＣＰＵなどのプロセッサ１００６、入力／出力インタフェース１００８およびメモリ１０１０を含み、バス１００９を介して各種要素１００２、１００４、１００６、１００８、および１０１０がデータと情報を交換し得る。
【００５０】
受信機１００２に結合されたセクタ化アンテナ１００３は、基地局のセル内の各セクタからの無線端末送信から、データおよびチャネルレポートなどの他の信号を受け取るのに使用される。送信機１００４に結合されたセクタ化アンテナ１００５は、基地局のセルの各セクタ内の無線端末１１００（図１１参照）に、データおよび制御信号、パイロット信号、ビーコン信号などといった他の信号を送信するのに使用される。様々な態様において、基地局１０００は、複数の受信機１００２および複数の送信機１００４、例えば、各セクタの個別受信機１００２や各セクタの個別送信機１００４などを用いてもよい。プロセッサ１００６は、汎用の中央処理装置（ＣＰＵ）などとすることができる。プロセッサ１００６は、メモリ１０１０に格納された１つまたは複数のルーチン１０１８の指示の下で基地局１０００の動作を制御し、方法を実施する。入出力インタフェース１００８は、他のネットワークノードへの接続を提供し、基地局１０００を他の基地局、アクセスルータ、ＡＡＡサーバノードなど、他のネットワーク、およびインターネットに結合する。メモリ１０１０は、ルーチン１０１８およびデータ／情報１０２０を含む。
【００５１】
データ／情報１０２０は、データ１０３６と、ダウンリンクストリップ−シンボル時間情報１０４０およびダウンリンクトーン情報１０４２を含むトーンサブセット割り振りシーケンス情報１０３８と、複数のＷＴ情報セット（ＷＴ１情報１０４６およびＷＴＮ情報１０６０）を含む無線端末（ＷＴ）データ／情報１０４４を含む。ＷＴ情報セットの各々、例えばＷＴ１情報１０４６は、データ１０４８、端末ＩＤ１０５０、セクタＩＤ１０５２、アップリンクチャネル情報１０５４、ダウンリンクチャネル情報１０５６、およびモード情報１０５８を含む。
【００５２】
ルーチン１０１８は、通信ルーチン１０２２および基地局制御ルーチン１０２４を含む。基地局制御ルーチン１０２４は、スケジューラモジュール１０２６と、ストリップ−シンボル周期のトーンサブセット割り振りルーチン１０３０、非ストリップ−シンボル周期など残りのシンボル周期の他のダウンリンクトーン割り振りホッピングルーチン１０３２、およびビーコンルーチン１０３４とを含むシグナリングルーチン１０２８を含む。
【００５３】
データ１０３６は、ＷＴへの送信前に符号化のために送信機１００４の符号器１０１４に送られる送信すべきデータと、受信に続いて受信機１００２の復号器１０１２によって処理されているＷＴからの受信データとを含む。ダウンリンクストリップ−シンボル時間情報１０４０は、スーパースロット、ビーコンスロット、ウルトラスロット構造情報などのフレーム同期構造情報と、所与のシンボル周期がストリップ−シンボル周期であるかどうか、およびそうである場合、ストリップ−シンボル周期のインデックス、ならびにストリップ−シンボルが、基地局によって使用されるトーンサブセット割り振りシーケンスを切り詰めるリセット点であるかどうかを指定する情報とを含む。ダウンリンクトーン情報１０４２は、基地局１０００に割り当てられた搬送波周波数、トーンの数と周波数、およびストリップ−シンボル周期に割り振られるべきトーンサブセットの組を含む情報、ならびに、スロープ、スロープインデックス、セクタの種類といった他のセルおよびセクタに特有の値を含む。
【００５４】
データ１０４８は、ＷＴ１  １１００がピアノードから受け取っているデータ、ＷＴ１  １１００がピアノードに送信しようとするデータ、およびダウンリンクチャネル品質レポートフィードバック情報を含み得る。端末ＩＤ１０５０は、基地局１０００による割り当てＩＤであり、ＷＴ１  １１００を識別する。セクタＩＤ１０５２は、ＷＴ１  １１００が動作しているセクタを識別する情報を含む。セクタＩＤ１０５２は、例えば、セクタの種類を判定するのに使用することができる。アップリンクチャネル情報１０５４は、ＷＴ１  １１００が、例えば、データのためのアップリンクトラヒックチャネルセグメント、要求、電力制御、タイミング制御などのための専用アップリンク制御チャネルを使用するために、スケジューラ１０２６によって割り振られているチャネルセグメントを識別する情報を含む。ＷＴ１  １１００に割り当てられる各アップリンクチャネルは、１つまたは複数の論理トーンを含み、各論理トーンは、アップリンクホッピングシーケンスの後に続く。ダウンリンクチャネル情報１０５６は、ユーザデータ用のダウンリンクトラヒックチャネルセグメントなど、ＷＴ１  １１００にデータおよび／または情報を搬送するためにスケジューラ１０２６によって割り振られているチャネルセグメントを識別する情報を含む。ＷＴ１  １１００に割り振られる各ダウンリンクチャネルは、１つまたは複数の論理トーンを含み、各論理トーンはダウンリンクホッピングシーケンスの後に続く。モード情報１０５８は、休眠、ホールド、オンなど、ＷＴ１  １１００の動作状態を識別する情報を含む。
【００５５】
通信ルーチン１０２２は、基地局１０００を、様々な通信動作を実行し、様々な通信プロトコルを実施するように制御する。基地局制御ルーチン１０２４は、基地局１０００を、信号の生成および受信、スケジューリングといった基本的な基地局機能タスクを実行し、ストリップ−シンボル周期の間のトーンサブセット割り振りシーケンスを使った無線端末への信号送信を含むいくつかの態様の方法ステップを実施するよう制御するのに使用される。
【００５６】
シグナリングルーチン１０２８は、受信機１００２の復号器１０１２を用いた動作と、送信機１００４の符号器１０１４を用いた動作を制御する。シグナリングルーチン１０２８は、送信データ１０３６と制御情報の生成を制御する役割を果たす。トーンサブセット割り振りルーチン１０３０は、この態様の方法を使用し、ダウンリンクストリップ−シンボル時間情報１０４０およびセクタＩＤ１０５２を含むデータ／情報１０２０を使用して、ストリップ−シンボル周期で使用すべきトーンサブセットを構築する。ダウンリンクトーンサブセット割り振りシーケンスは、セル内のセクタの種類ごとに異なり、隣接するセル間でも異なる。ＷＴ１１００は、ダウンリンクトーンサブセット割り振りシーケンスに従ってストリップ−シンボル周期において信号を受信する。基地局１０００は、同じダウンリンクトーンサブセット割り振りシーケンスを、送信信号を生成するために使用する。他のダウンリンクトーン割り振りホッピングルーチン１０３２は、ストリップ−シンボル周期以外のシンボル周期に、ダウンリンクトーン情報１０４２と、ダウンリンクチャネル情報１０５６を含む情報を使って、ダウンリンクトーンホッピングシーケンスを構築する。ダウンリンクデータトーンホッピングシーケンスは、セルの各セクタにまたがって同期される。ビーコンルーチン１０３４は、ビーコン信号、例えば、１つまたは少数のトーンに集中する比較的高電力の信号などの送信を制御し、この信号は、同期目的で、例えば、ダウンリンク信号のフレームタイミング構造、ひいては、ウルトラスロット境界に対するトーンサブセット割り振りシーケンスの同期を取るのに使用され得る。
【００５７】
図１１に、図９のシステム９００の、ＥＮ（１）９３６などの無線端末（エンドノード、モバイル機器など）のいずれか１つとして使用され得る無線端末（エンドノード、モバイル機器など）１１００の例を示す。無線端末１１００は、トーンサブセット割り振りシーケンスを実施する。無線端末１１００は、バス１１１０によって相互に結合されている、復号器１１１２を含む受信機１１０２、符号器１１１４を含む送信機１１０４、プロセッサ１１０６、およびメモリ１１０８を含み、各種要素１１０２、１１０４、１１０６、１１０８は、バス１１１０を介してデータと情報を交換することができる。基地局１０００から信号を受信するのに使用されるアンテナ１１０３が、受信機１１０２に結合されている。基地局１０００などに信号を送信するのに使用されるアンテナ１１０５が、送信機１１０４に結合されている。
【００５８】
プロセッサ１１０６（ＣＰＵなど）は、無線端末１１００の動作を制御し、ルーチン１１２０を実行し、メモリ１１０８内のデータ／情報１１２２を使用して方法を実施する。
【００５９】
データ／情報１１２２は、ユーザデータ１１３４、ユーザ情報１１３６、トーンサブセット割り振りシーケンス情報１１５０、およびルックアップテーブル１１５６を含む。ユーザデータ１１３４は、ピアノードに向けられたデータであって、送信機１１０４による基地局１０００への送信前に符号化のために符号器１１１４に送られるデータと、受信機１１０２において復号器１１１２によって処理されている基地局１０００から受信したデータを含み得る。ユーザ情報１１３６は、アップリンクチャネル情報１１３８、ダウンリンクチャネル情報１１４０、端末ＩＤ情報１１４２、基地局ＩＤ情報１１４４、セクタＩＤ情報１１４６、およびモード情報１１４８を含む。アップリンクチャネル情報１１３８は、無線端末１１００が基地局１０００に送信するときに使用するために基地局１０００によって割り当てられているアップリンクチャネルセグメントを識別する情報を含む。アップリンクチャネルは、アップリンクトラヒックチャネルと、要求チャネル、電力制御チャネル、タイミング制御チャネルなどの専用アップリンク制御チャネルを含んでいてもよい。各アップリンクチャネルは、１つまたは複数の論理トーンを含み、各トーンはアップリンクトーンホッピングシーケンスの後に続く。アップリンクホッピングシーケンスは、セルのセクタの種類ごとに異なり、隣接するセル間でも異なる。ダウンリンクチャネル情報１１４０は、基地局１０００がＷＴ１１００にデータ／情報を送信するときに使用するために、基地局１０００によってＷＴ１１００に割り当てられているダウンリンクチャネルセグメントを識別する情報を含む。ダウンリンクチャネルは、ダウンリンクトラヒックチャネルおよび割り当てチャネルを含んでいてもよく、各ダウンリンクチャネルは、１つまたは複数の論理トーンを含み、各論理トーンは、セルの各セクタの間で同期されるダウンリンクホッピングシーケンスの後に続く。
【００６０】
また、ユーザ情報１１３６は、基地局１０００に割り当てられる識別である端末ＩＤ情報１１４２と、ＷＴが通信を確立している特定の基地局１０００を識別する基地局ＩＤ情報１１４４と、ＷＴ１１００が現在位置しているセルの特定のセクタを識別するセクタＩＤ情報１１４６も含む。基地局ＩＤ１１４４は、セルスロープ値を提供し、セクタＩＤ情報１１４６は、セクタインデックスの種類を提供する。セルスロープ値とセクタインデックスの種類は、トーンホッピングシーケンスを導出するのに使用され得る。やはりユーザ情報１１３６に含まれるモード情報１１４８は、ＷＴ１１００が休眠モードか、ホールドモードか、それともオンモードかを識別する。
【００６１】
トーンサブセット割り振りシーケンス情報１１５０は、ダウンリンクストリップ−シンボル時間情報１１５２と、ダウンリンクトーン情報１１５４を含む。ダウンリンクストリップ−シンボル時間情報１１５２は、スーパースロット、ビーコンスロット、ウルトラスロット構造情報などといったフレーム同期構造情報と、所与のシンボル周期がストリップ−シンボル周期であるかどうか、およびそうである場合、ストリップ−シンボル周期のインデックス、ならびにストリップ−シンボルが、基地局によって使用されるトーンサブセット割り振りシーケンスを切り詰めるリセット点であるかどうかを指定する情報とを含む。ダウンリンクトーン情報１１５４は、基地局１０００に割り当てられた搬送波周波数、トーンの数と周波数、ストリップ−シンボル周期に割り振られるべきトーンサブセットの組を含む情報と、スロープ、スロープインデックス、セクタの種類などといった他のセルおよびセクタ特有の値とを含む。
【００６２】
ルーチン１１２０は通信ルーチン１１２４と、無線端末制御ルーチン１１２６と、ＷＡＮ通信ルーチン１１２８と、Ｐ２Ｐ通信ルーチン１１３０と、ＷＡＮ識別子ルーチン１１３２とを含んでいる。通信ルーチン１１２４は、ＷＴ１１００によって使用されている種々の通信プロトコルを制御する。無線端末制御ルーチン１１２６は、受信機１１０２および送信機１１０４の制御を含む基本的な無線端末１１００の機能性を制御する。ＷＡＮ通信ルーチン１１２８は、ワイドエリアネットワーク（例えば、セルラネットワーク）での基地局１０００（および／または任意の異なる基地局）との通信を制御する。例えば、ＷＡＮ通信ルーチン１１２８は、ワイドエリアネットワークを介する通信に関する第１のパラメータ・セットの推定を可能にする。Ｐ２Ｐ通信ルーチン１１３０は、ローカルエリアピア・ツー・ピアネットワークを介する（複数の）ピア（例えば、異なる無線端末）との通信を制御する。例えば、Ｐ２Ｐ通信ルーチン１１３０は、ピア・ツー・ピア通信に用いられるパラメータ（例えば、トーンスペース、サイクリックプリフィックス、シンボル時間、・・・）を識別可能である。Ｐ２Ｐ通信ルーチン１１３０は、ルックアップテーブル１１５６などからこの第２のパラメータ・セットの導出およびアクセスを可能にする。ＷＡＮ識別子ルーチン１１３２は、ＷＡＮエアインタフェース技術のタイプの識別を制御する。
【００６３】
図１２を参照すると、ワイドエリアネットワークおよびローカルエリアピア・ツー・ピアネットワーク上での通信を可能にするシステム１２００が図示されている。例えば、システム１２００は、無線端末内に少なくとも部分的に存し得る。システム１２００は機能ブロックを含むものとして表されており、これらは、プロセッサ、ソフトウェアまたはこれらの組み合わせ（例えば、ファームウェア）によって実現される機能を表す機能ブロックであってもよい点が理解されるべきである。システム１２００は、連動して動作可能な電気的コンポーネントの論理グルーピング１２０２を含んでいる。例えば、論理グルーピング１２０２は、ワイドエリアネットワークを識別するための電気的コンポーネント１２０４を含んでもよい。例えば、受信ビーコン信号は、ワイドエリアネットワークが使用可能であること、ワイドエリアネットワークのタイプ、ワイドエリアネットワークと関連したパラメータなどを判断するために分析されてもよい。さらに、論理グルーピング１２０２は、識別されたワイドエリアネットワークの関数としてピア・ツー・ピアネットワークに使用されるパラメータにアクセスするための電気的コンポーネント１２０６を備えてもよい。ピア・ツー・ピアネットワークは、ワイドエリアネットワークと共有される帯域幅を利用してもよい。一例によると、ピア・ツー・ピアネットワークに用いられるパラメータが（例えば、ワイドエリアネットワークのタイプ、ワイドエリアネットワークに対応するパラメータ、・・・に基づいて）導出可能である。さらなる例によると、ピア・ツー・ピアネットワークパラメータはルックアップテーブルから識別されてもよい。加えて、システム１２００は、電気的コンポーネント１２０４および１２０６と関連した機能を実行するための命令を保有するメモリ１２０８を含んでもよい。メモリ１２０８の外部にあるものとして示されているが、電気的コンポーネント１２０４および１２０６のうちの１つ以上がメモリ１２０８内に存在してもよい点は理解されるべきである。
【００６４】
本明細書で説明する実施形態は、ハードウェア、ソフトウェア、ファームウェア、ミドルウェア、マイクロコード、またはこれらの任意の組み合わせとして実施され得ることを理解すべきである。ハードウェア実装では、処理装置が、１つまたは複数の特定用途向け集積回路（ＡＳＩＣ）、ディジタル信号プロセッサ（ＤＳＰ）、ディジタル信号処理装置（ＤＳＰＤ）、プログラマブル論理回路（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはこれらの組み合わせの内部で実施されてもよい。
【００６５】
実施形態は、ソフトウェア、ファームウェア、ミドルウェアまたはマイクロコード、プログラムコードまたはコードセグメントとして実施されるとき、記憶コンポーネントなどの機械可読媒体に格納されてもよい。コードセグメントとは、手順、関数、サブプログラム、プログラム、ルーチン、サブルーチン、モジュール、ソフトウェアパッケージ、クラス、もしくは、命令、データ構造、またはプログラム文の任意の組み合わせを表し得る。コードセグメントは、情報、データ、引数、パラメータ、またはメモリ内容を渡し、かつ／または受け取ることによって、別のコードセグメントまたはハードウェア回路に結合されてもよい。情報、引数、パラメータ、データなどは、メモリ共有、メッセージ受け渡し、トークン受け渡し、ネットワーク伝送などを含む任意の適切な手段を使って受け渡され、転送され、または送信されてもよい。
【００６６】
ソフトウェア実装では、本明細書で説明する技術が、本明細書で説明する諸機能を実行するモジュール（手順、関数など）を用いて実施されてもよい。ソフトウェアコードは、メモリユニットに格納され、プロセッサによって実行されてもよい。メモリユニットは、プロセッサ内部に実装されても、プロセッサの外部に実装されてもよく、プロセッサの外部に実装される場合、メモリは、当分野で知られている様々な手段によって、通信的にプロセッサに結合され得る。
【００６７】
以上の説明は、１つまたは複数の実施形態の例を含んでいる。当然ながら、前述の実施形態を説明するために、想定されるあらゆる構成要素または方法の組み合わせを記述することは不可能であるが、様々な実施形態の多くの別の組み合わせおよび置換が可能であることを、通常の当業者は理解するであろう。したがって、前述の実施形態は、添付の特許請求の範囲の精神および範囲内に含まれるかかるすべての変更、改変および変形に及ぶものである。さらに、「含む（includes）」という語は、詳細な説明または特許請求の範囲において使用される限りにおいて、「備える（comprising）」という語が、請求項において移行語として用いられるときに解釈されるのと同様に包含することが意図されている。
【図１】
0005911822.tif 000002
【図２】
0005911822.tif 000003
【図３】
0005911822.tif 000004
【図４】
0005911822.tif 000005
【図５】
0005911822.tif 000006
【図６】
0005911822.tif 000007
【図７】
0005911822.tif 000008
【図８】
0005911822.tif 000009
【図９】
0005911822.tif 000010
【図１０】
0005911822.tif 000011
【図１１】
0005911822.tif 000012
【図１２】
0005911822.tif 000013